(57)【要約】      （修正有）【課題】リストバンドのストランドを変更することなく容易に長さを調整できる、使い易いクラスプを有するリストバンドを作製する。【解決手段】支持体４の周りに第１のアーム２及び第２のアーム３を含む展開式又は折り畳み式クラスプ１であって、第１のアーム２を第１のスターラップ部材５にヒンジ留めし、第２のアーム３を第２のスターラップ部材６にヒンジ留めする。第１のスターラップ部材５には第１のキャップ７を形成すると共にその底面７１は、第１のアーム２の一方の端部２３と共に、端部２３のいずれの角度位置においても所定の厚さＥＰ以下の厚さを有するリストバンドのストランドが通過するための空間７２を画定し、第２のスターラップ部材６は第２の着脱可能なキャップ８を形成し、該キャップの相補的固定手段によってリストバンドのストランドのオリフィスの周りにクランプ留めして長さを調整する。【選択図】図１
2014204990.tif 000002
【特許請求の範囲】
【請求項１】
支持体（４）の周りにヒンジ留めされた第１のアーム（２）及び第２のアーム（３）を含む、展開式又は折り畳み式クラスプ（１）であって、
前記第１のアーム（２）は第１のスターラップ部材（５）にヒンジ留めされ、
前記第２のアーム（３）は第２のスターラップ部材（６）にヒンジ留めされる、クラスプ（１）において、
前記第１のスターラップ部材（５）は、第１の単一部品のキャップ（７）を形成し、
前記キャップ（７）の底面（７１）は、前記第１のアーム（２）の一方の端部（２３）と共に、前記端部（２３）のいずれの角度位置において、所定の厚さ（ＥＰ）以下の厚さを有するリストバンドのストランドが通過するための空間（７２）を画定し、
前記第２のスターラップ部材（６）は、第２の着脱可能なキャップ（８）の底部を形成し、
また前記第２のスターラップ部材（６）は、前記リストバンドのストランドの有効な長さを調整するために、前記リストバンドのストランドのオリフィスの周りにクランプ留めすることによって前記第２のキャップ（８）の着脱可能な上部（８２）の相補的固定手段（８１）と協働するよう配設された、少なくとも１つの固定手段（６１）を含む
ことを特徴とする、展開式又は折り畳み式クラスプ（１）。
【請求項２】
前記クラスプには所定の厚さ（ＥＰ）の可撓性リストバンド又はブレスレットが設けられ、
前記第１のアーム（２）は、第１の端部と前記第２の端部（２３）との間に延在し、
前記第２のアーム（３）は、第１の端部と第２の端部（３３）との間に延在し、
前記支持体（４）は、第１のヒンジ（４１）と第２のヒンジ（４２）との間に延在し、
前記第１のアーム（２）は、前記第１の端部（２２）において前記第１のヒンジ（４１）にヒンジ留めされ、前記第２の端部（２３）において前記第１のスターラップ部材（５）にヒンジ留めされ、
また前記第２の弾性アーム（３）は、前記第１の端部（３２）において前記第２のヒンジ（４２）にヒンジ留めされ、前記第２の端部（３３）において前記第２のスターラップ部材（６）にヒンジ留めされ、
前記第１のスターラップ部材（５）は、前記所定の厚さ（ＥＰ）以下の厚さを有する固定された前記リストバンドのストランドに固定するための、前記第１のアーム（２）のための第１のヒンジピン（５１）及び第２のピン（５２）を含み、
前記第１のキャップ（７）の隠された前記底面（７１）は、前記第１のアーム（２）の前記第２の端部（２３）と共に、前記第２の端部（２３）のいずれの角度位置において、前記所定の厚さ（ＥＰ）以下の厚さを有する前記リストバンドのストランドが通過するための前記通過用空間（７２）を画定し、これにより前記リストバンドのストランドのための案内ループを形成する
ことを特徴とする、請求項１に記載の展開式又は折り畳み式クラスプ（１）。
【請求項３】
前記第１のアーム（２）は、第１の弾性的に引き出し可能なロック手段（２１）を含むこと、
前記第２のアーム（３）は、第２の弾性的に引き出し可能なロック手段（３１）を含むこと、並びに
前記支持体（４）は、ロック位置において前記第１のロック手段（２１）及び前記第２のロック手段（３１）とそれぞれ協働するよう配設された第１の相補的ロック手段（４２１）及び第２の相補的ロック手段（４３１）を含むこと
を特徴とする、請求項１又は２に記載のクラスプ（１）。
【請求項４】
前記第１の単一部品のキャップ（７）は、前記底面（７１）及び前記第１のスターラップ部材（５）と反対の側に第１のカボション（７３）を含み、
前記クラスプ（１）が、前記第１のアーム（２）及び前記第２のアーム（３）が前記ロック位置において前記支持体（４）を押圧する閉鎖及びロックされた位置にある場合、前記第１のカボション（７３）の第１の縁部表面（７４）は、前記第２のキャップ（８）が備える第２のカボション（８３）の対向する縁部表面（８４）に当接する
ことを特徴とする、請求項３に記載のクラスプ（１）。
【請求項５】
前記第１のカボション（７３）はセーフティロック手段（７５）を含み、
前記セーフティロック手段（７５）は、前記閉鎖及びロックされた位置において、前記第２のカボション（８３）が備える相補的セーフティロック手段（８５）と協働するよう配設される
ことを特徴とする、請求項４に記載のクラスプ（１）。
【請求項６】
前記第２のスターラップ部材（６）は、前記少なくとも１つの固定手段（６１）に加えて、前記第２のキャップ（８）の前記着脱可能な上部（８２）の孔（８６）と協働する少なくとも１つのピン（６２）、又は前記着脱可能な上部（８２）のピン（８３）と協働する孔（６３）を含むことを特徴とする、請求項１〜５のいずれか１項に記載のクラスプ（１）
【請求項７】
請求項１〜６に記載の少なくとも１つの展開式又は折り畳み式クラスプ（１）を含むリストバンド又はブレスレット（１０）であって、
前記少なくとも１つのクラスプ（１）の周りに、第１の固定ストランド（１１）及び前記所定の厚さ（ＥＰ）以下の厚さを有する第２の調整可能なストランド（１２）を含む、リストバンド又はブレスレット（１０）において、
前記第１のストランド（１１）は、前記第１のストランド（１１）の延長部分における前記第１のアーム（２）の第１のヒンジピン（５１）によって、及び前記第１のストランド（１１）を横切る第２のピン（５２）によって、前記第１のスターラップ部材（５）に固定され、
前記第１のストランド（１１）は、前記底面（７１）と共に、前記第２のストランド（１２）が通過するために配設される前記空間（７２）を画定し、
前記第２のストランド（１２）は、前記第２のストランド（１２）のオリフィスの周りにクランプ留めされた前記少なくとも１つの固定手段（６１）と、前記第２のキャップ（８）の前記着脱可能な上部（８２）の前記相補的固定手段（８１）との協働によって、前記第２のキャップ（８）に固定される
ことを特徴とする、リストバンド又はブレスレット（１０）。
【請求項８】
前記第１の固定ストランド（１１）及び／又は前記第２の調整可能なストランド（１２）は可撓性ストランドであることを特徴とする、請求項７に記載のリストバンド又はブレスレット（１０）。
【請求項９】
請求項７又は８に記載の少なくとも１つのリストバンド又はブレスレット（１０）を含む、時計又は宝飾品（１００）。
【発明の詳細な説明】
【技術分野】
【０００１】
本発明は、支持体の周りにヒンジ留めされた第１及び第２のアームを含む展開式（ｄｅｐｌｏｙａｎｔ）又は折り畳み式（ｆｏｌｄｉｎｇ）クラスプに関し、上記第１のアームは第１のスターラップ（ｓｔｉｒｒｕｐ）部材にヒンジ留めされ、上記第２のアームは第２のスターラップ部材にヒンジ留めされる。
【０００２】
本発明はまた、このタイプの少なくとも１つの展開式又は折り畳み式クラスプを含み、上記少なくとも１つのクラスプの周りに、第１の固定ストランド及び厚さが所定の厚さ以下である第２の調整可能なストランドを含む、ブレスレット又はリストバンドにも関する。
【０００３】
本発明はまた、このタイプの少なくとも１つのブレスレット又はリストバンドを含む時計又は宝飾品にも関する。
【０００４】
本発明は、腕時計又は宝飾品等のためのブレスレット又はリストバンドの分野に関する。
【背景技術】
【０００５】
腕時計のバンド又はブレスレット用のセーフティ付き展開式又は折り畳み式クラスプは一般に、ヒンジ留めされるか又はストランドの長さが固定されている腕時計のために考案される。
【０００６】
これには、コンパス部材を形成する支持体及び２つのアームで形成される３つの構成部品を有する展開式又は折り畳み式クラスプの使用を組み合わせることが必要であり、クラスプは大きく開くことができ使用が容易であるため、コンパス部材はユーザによって動かされ、また、リストバンドは特に皮等で作製された可撓性ストランドを有し、これによってストランドのいずれかを切断することなくリストバンドの調整の可能な範囲全体を維持する。
【発明の概要】
【発明が解決しようとする課題】
【０００７】
本発明は、リストバンドのストランドを変更することなく容易に長さを調整できる、使い易いクラスプを有するリストバンドを作製することを提案する。
【課題を解決するための手段】
【０００８】
従って本発明は、支持体の周りにヒンジ留めされた第１のアーム及び第２のアームを含む展開式又は折り畳み式クラスプであって、上記第１のアームは第１のスターラップ部材にヒンジ留めされ、上記第２のアームは第２のスターラップ部材にヒンジ留めされる、クラスプに関し、上記第１のスターラップ部材は第１の単一部品のキャップを形成し、上記キャップの底面は、上記第１のアームの一方の端部と共に、上記端部のいずれの角度位置において、所定の厚さ以下の厚さを有するリストバンドのストランドが通過するための空間を画定し、上記第２のスターラップ部材は第２の着脱可能なキャップの底部を形成し、また上記第２のスターラップ部材は、リストバンドのストランドの有効な長さを調整するために、上記リストバンドのストランドのオリフィスの周りにクランプ留めすることによって上記第２のキャップの着脱可能な上部の相補的固定手段と協働するよう配設された、少なくとも１つの固定手段を含むことを特徴とする。
【０００９】
本発明はまた、このタイプの少なくとも１つの展開式又は折り畳み式クラスプを含み、上記少なくとも１つのクラスプの周りに、第１の固定ストランド及び厚さが所定の厚さ以下である第２の調整可能なストランドを含むリストバンドにも関し、上記第１のストランドは、上記第１のストランドの第１の延長部分における上記第１のアームの第１のヒンジピンによって、及び上記第１のストランドを横切る第２のピンによって、上記第１のスターラップ部材に固定され、上記第１のストランドは、上記底面と共に、上記第２のストランドが通過するために配設された上記空間を画定し、上記第２のストランドは、上記第２のストランドのオリフィスの周りにクランプ留めされた上記少なくとも１つの固定手段と、上記第２のキャップの上記着脱可能な上部の上記相補的な固定手段との協働によって、上記第２のキャップに固定されることを特徴とする。
【００１０】
本発明はまた、このタイプの少なくとも１つのブレスレット又はリストバンドを含む時計又は宝飾品にも関する。
【００１１】
本発明の他の特徴及び利点は、添付の図面を参照して以下の詳細な説明を読むことにより、より明らかになるであろう。
【図面の簡単な説明】
【００１２】
【図１】図１は、本発明による可撓性ストランドを有するリストバンドのためのクラスプの、閉鎖及びロックされた位置における、部分概略側面図である。
【図２】図２は、同一の位置における図１のクラスプの概略斜視図である。
【図３】図３は、開位置における同一のクラスプの図１と同様の図である。
【図４】図４は、開位置における同一のクラスプの図２と同様の図である。
【図５】図５は、図１の位置における同一のクラスプの正中面を通る断面図である。
【図６】図６は、時計、より詳細には同一のクラスプに取り付けられた可撓性ストランドを含む腕時計の概略斜視図である。
【図７】図７は、追加のセーフティ手段を含む同一のクラスプの変形例の、セーフティ手段が作動していない状態の概略斜視図である。
【図８】図８は、追加のセーフティ手段を含む同一のクラスプの変形例の、セーフティ手段が１８０°折り畳まれた後に作動している状態の概略斜視図である。
【発明を実施するための形態】
【００１３】
本発明は、腕時計又は宝飾品等のためのブレスレット又はリストバンドの分野に関する。
【００１４】
図示したように、本発明は、支持体４の周りにヒンジ留めされた第１のアーム２及び第２のアーム３を含む展開式又は折り畳み式クラスプ１に関する。第１のアーム２は第１のスターラップ部材５にヒンジ留めされ、第２のアーム３は第２のスターラップ部材６にヒンジ留めされる。
【００１５】
本発明によると、この第１のスターラップ部材５は、第１の単一部品のキャップ７を形成し、キャップ７の底面７１は、第１のアーム２の一方の端部２３と共に、端部２３のいずれの角度位置において、図１に示すように所定の厚さＥＰ以下の厚さを有するリストバンドのストランドが通過するための空間７２を画定する。
【００１６】
この第２のスターラップ部材６は、第２の着脱可能なキャップ８の底面を形成し、また第２のスターラップ部材６は、リストバンドのストランドのオリフィスの周りにクランプ留めすることによって上記第２のキャップ８の着脱可能な上部８２の相補的固定手段８１と協働するよう配設された、少なくとも１つの固定手段６１を含み、これにより、固定手段６１によってクランプ留めされたリストバンドの有効な長さを調節する。
【００１７】
より具体的には、本発明による展開式又は折り畳み式クラスプ１は、所定の厚さＥＰの可撓性リストバンドを備える。第１のアーム２は第１の端部２２と第２の端部２３との間に延在し、第２のアーム３は第１の端部３２と第２の端部３３との間に延在する。
【００１８】
支持体４は、第１のヒンジ４１と第２のヒンジ４２との間に延在する。
【００１９】
第１のアーム２はその第１の端部２２において第１のヒンジ４１にヒンジ留めされ、その第２の端部２３において第１のスターラップ部材５にヒンジ留めされる。
【００２０】
第２の弾性アーム３はその第１の端部３２において第２のヒンジ４２にヒンジ留めされ、その第２の端部３３において第２のスターラップ部材６にヒンジ留めされる。
【００２１】
第１のスターラップ部材５は、所定の厚さＥＰ以下の厚さを有する固定されたリストバンドのストランドに固定するための、第１のアーム２の第１のヒンジピン５１及び第２のピン５２を含む。第１のキャップ７の隠された底面７１は、第１のアーム２の第２の端部２３と共に、第２の端部２３のいずれの角度位置において、所定の厚さＥＰ以下の厚さを有するリストバンドのストランドが通過するための上記通過用空間７２を画定し、これによりこのタイプのリストバンドのストランドのための案内ループを形成する。
【００２２】
好ましくは、第１のアーム２は第１の弾性的に引き出し可能なロック手段２１を含み、第２のアーム３は第２の弾性的に引き出し可能なロック手段３１を含み、支持体４は、ロック位置において第１のロック手段２１及び第２のロック手段３１とそれぞれ協働するよう配設された第１の相補的ロック手段４２１及び第２の相補的ロック手段４３１を含む。
【００２３】
第１のアーム２及び第２のアーム３は、「音叉」形状のＵ字形アームで形成してよく、弾性アームは、特に舌状部又は溝によって形成される第１のロック手段２１及び第２のロック手段３１を備える。しかしながら、第１の相補的ロック手段４２１及び第２の相補的ロック手段４３１は、それぞれ溝又は舌状部で形成される。
【００２４】
弾性アームの屈曲により、第１のアーム２及び第２のアーム３は、第１のロック手段２１及び第２のロック手段３１を瞬間的に引き出すことによって、図３、４に示す開位置から、支持体へと折り畳まれた位置へと移動できる。第１のアーム２及び第２のアーム３が図１、２、５に示す閉位置において支持体４と整列すると、ユーザによるいずれの操作なしに、弾性アームは所定の位置に戻り、第１のロック手段２１及び第２のロック手段３１を、第１の相補的ロック手段４２１及び第２の相補的ロック手段４３１とそれぞれ協働させてロックすることができる。
【００２５】
有利には、第１の単一部品のキャップ７は、底面７１及び第１のスターラップ部材５と反対の側に第１のカボション７３を含む。第２のキャップ８は、同様の様式で第２のカボション８３を含む。
【００２６】
第１のカボション７３の第１の縁部表面７４は、クラスプ１の閉鎖及びロックされた位置において、第２のカボション８３が備える第２の対向する縁部表面８４に当接する。
【００２７】
よってユーザは、クラスプが適切にロックされているかどうかを極めて容易に視覚的に確認でき、カボション７３、８３間のいずれの遊びはロックが達成されていないことを示す。
【００２８】
図７、８に示す変形例では、第１のカボション７３はセーフティロック手段７５を含み、このセーフティロック手段７５は、クラスプの閉鎖及びロックされた位置において、第２のカボション８３が備える相補的セーフティロック手段８５と協働するよう配設される。
【００２９】
非限定的な実施形態では、例として、第１のカボション７３及び第２のカボション８３は共に、クラスプの閉鎖及びロックされた位置において、本出願人の製品に特有の８の字形を形成する。第１のカボション７３はその側部にヒンジ７６を備え、ヒンジ７６の可動アームは、２つのカボション７３、８３を共にクランプ留めするよう考案されたメス型の８の字形部分７７を支持する。この成形された部分７７は、ここでは一方の端部において、図８の位置においてヒンジが１８０°折り畳まれた後に、第２のカボション８３に取り付けられて相補的セーフティロック手段を形成するスプリング８５又は同様の要素と協働するよう配設された、縁部７５を備える。
【００３０】
第１のスターラップ部材５と第１のキャップ７の底面７１との間の空間７２に挿入された調整可能なストランド１２の長さを調整するために、第２のスターラップ部材６は、図５に示すように、ここではスリーブ８１（ここでは第２のキャップの基部８７と一体である）と協働するネジによって形成される固定手段６１に加えて、第２のキャップ８の着脱可能な上部８２の孔８６と協働する少なくとも１つのピン６２、又は逆に着脱可能な上部８２のピン８３と協働する孔６３を含む。スリーブ８１及びピン６２若しくは８３は両方とも、場合に応じてリストバンド１２の穴１２３と協働する。
【００３１】
本発明は、このタイプの少なくとも１つの展開式又は折り畳み式クラスプ１を含み、上記少なくとも１つのクラスプ１の周りに、第１の固定ストランド１１及び上記所定の厚さＥＰ以下の厚さを有する第２の調整可能なストランド１２を含むリストバンド１０に関する。
【００３２】
第１のストランド１１は、第１のストランド１１の延長部分における第１のアーム２の第１のヒンジピン５１によって、及び第１のストランド１１を横切る第２のピン５２によって、第１のスターラップ部材５に固定される。よって第１のストランド１１は、底面７１と共に、第２のストランド１２が通過するために配設される空間７２を画定する。第２のストランド１２は、第２のストランド１２のオリフィス１２３の周りにクランプ留めされた少なくとも１つの固定手段６１と、第２のキャップ８の着脱可能な上部８２の相補的固定手段８１との協働によって、第２のキャップ８に固定される。
【００３３】
特定の実施形態では、第１の固定ストランド１１及び／又は第２の調整可能なストランド１２は、可撓性ストランドである。
【００３４】
本発明はまた、図８に示すような、このタイプの少なくとも１つのリストバンド又はブレスレット１０を含む、時計又は宝飾品１００にも関する。本発明により、特に腕時計ケースであるケース１０１の形状を再現したクラスプ１を形成することが可能となる。
【００３５】
図示していない特定の実施形態では、第１のカボション７３及び／又は第２のカボション８３は視認できる様式で使用され、時計ムーブメント又は宝石等を支持する。実際、取扱性及び安全性といった機械的特性に加えて、本発明は特に審美的な性質を有し、クラスプ１はリストバンド１０の装飾要素となる。
【００３６】
要するに、本発明は：
‐ユーザにストランドを適合させるためにストランドを切断するのを回避する、調整可能なストランドの調整手段：
‐作動及び作動解除が容易である、３つの要素を有するヒンジ留めされた構造；
‐調整可能なストランドの端部のためのループの機能を果たす第１のスターラップ部材；
‐閉位置において適切な閉鎖が達成されているかどうかを確認する手段を形成する、互いに（及び相互に嵌め込まれた形態で）当接する２つのカボションの協働の組み合わせを提供する。
【符号の説明】
【００３７】
１      クラスプ
２      第１のアーム
３      第２のアーム
４      支持体
５      第１のスターラップ部材
６      第２のスターラップ部材
７      第１のキャップ
８      第２のキャップ
１０    リストバンド、ブレスレット
１１    第１の固定ストランド
１２    第２の調整可能なストランド
２２    第１のアームの第１の端部
２３    第１のアームの第２の端部
３１    第２のロック手段
３２    第２のアームの第１の端部
３３    第２のアームの第２の端部
４１    第１のヒンジ
４２    第２のヒンジ
５１    第１のヒンジピン
５２    第２のピン
６１    固定手段
６２    ピン
６３    孔
７１    底面
７２    空間
７３    第１のカボション
７５    セーフティロック手段、リップ
７７    メス型の８の字形部分
８１    相補的固定手段、スリーブ
８２    第２のキャップの上部
８３    第２のカボション、ピン
８５    相補的セーフティロック手段、スプリング
８７    基部
１００  時計、宝飾品
１０１  ケース
１２３  オリフィス
４２１  第１の相補的ロック手段
４３１  第２の相補的ロック手段
ＥＰ    所定の厚さ
【図１】
2014204990.tif 000003
【図２】
2014204990.tif 000004
【図３】
2014204990.tif 000005
【図４】
2014204990.tif 000006
【図５】
2014204990.tif 000007
【図６】
2014204990.tif 000008
【図７】
2014204990.tif 000009
【図８】
2014204990.tif 000010